Podtech/llm-jp-corpus-v4-ja_patent huggingface dataset:
(57)【要約】【課題】屋台やイベントで、容器の上に箸をのせて持ち歩く時に、箸が容器から容易にずれ落ちることを防止した、箸置き付き容器を提供する。【解決手段】容器の開口上部の縁に、複数の凸部に形成した縁を設けたことを特徴とする【選択図】図１
2013138766.tif 000002
【特許請求の範囲】
【請求項１】
容器の開口上部の縁に、複数の凸部に形成した縁を設けたことを特徴とする箸置き付き容器。
【請求項２】
容器の開口上部の縁に、複数の凸部に形成した縁を設け、その対角線上の縁にも凸部に形成した縁を複数設け、容器の中心線上に箸を渡して置くことができるようにしたことを特徴とする箸置き付き容器。
【発明の詳細な説明】
【技術分野】
【０００１】  この発明は、箸を容器の上にのせて歩いた時、箸が容易にずれ落ちることがないよう、容器の開口上部の縁に、複数の凸部に形成した縁を設けた箸置き付き容器に関するものである。
【背景技術】
【０００２】  従来、箸と容器は別々に持つ物であって、容器は箸を置くようには作られていなかった。一般に使用されている容器の開口上部の縁は、平らな縁で形成されている。
【先行技術文献】
【特許文献】
【０００３】
【特許文献１】  特開２０００−２１０１７８号  公報
【特許文献２】  特開２０００−２１７６８８号  公報
【特許文献３】  特開２００８−１６１６２９号  公報
【発明の概要】
【発明が解決しようとする課題】
【０００４】  これは、次のような欠点があった。
従来、箸と容器は別々に持つ物であって、容器は箸を置くようには作られていなかった。一般に使用されている容器の開口上部の縁は平らな縁で形成されている。そのため屋台やイベントで料理を容器に入れ、その容器の上に箸をのせて歩いたり、相手に渡したりする時、箸が容器から落ち易かった。両手が空いている時は容器と箸を別々に持てばよいのだが、荷物があると片手がふさがってしまう。このような時、箸を容器の上にのせて運ぶと箸が落ちやすく不衛生であり、かと言って箸を口でくわえながら歩くのも滑稽であった。【０００５】  また、食器の縁に溝があって箸が置けるようになっている器の場合、箸の位置が食器の縁より下がってしまい、食器を運ぶ時に食器が揺れると中の具材や汁が箸に付きやすくなってしまう。また、容器の縁にくぼみを設けただけの器の場合、容器を持ち歩く時に箸がずれやすく落ちてしまう。
本発明は、以上のような欠点をなくすためになされたものである。
【課題を解決するための手段】
【０００６】  箸を容器の上にのせて歩いた時、箸が容易にずれ落ちることがないよう、容器の開口上部の縁に、複数の凸部に形成した縁を設けた。
本発明は、以上の構成よりなる箸置き付き容器である。
【発明の効果】
【０００７】  実際に容器を作り使用してみたが、容器の縁に複数の凸部に形成した縁を設けたことにより、凸部と凸部の間で箸が保持され安定し、容器の上に箸をのせて歩きまわっても箸が容易には落ちにくくなった。【０００８】  箸の位置が容器の縁より上になっているので、溝に箸をはめる食器より、中の具材や汁が箸につきにくく衛生的である。【０００９】  箸を凸部と凸部の縁の間に置くだけなので、箸を容器の上に容易にのせることが出来、別の器具を用いることがないので経済的である。【００１０】  箸を容器の中心線上に渡して置いているので、安定感もあり見た目にも美しい。
【図面の簡単な説明】
【００１１】
【図１】  本発明の斜視図である。
【図２】  本発明の箸を置いた状態を示す斜視図である。
【図３】  本発明の凸部の拡大図である。
【発明を実施するための形態】
【００１２】  以下、本発明を実施するための形態について図１〜図３に基づいて説明する。
容器１の開口上部の縁２に複数の凸部３ａ，３ｂに形成した縁を設け、その対角線上の縁にも複数の凸部に形成した縁を設ける。この時、凸部と凸部の間の凹部４は箸本体５を置ける幅がよい。この実施形態では凹部４の底部をアールにしたが、平面としてもよい。
本発明は、以上のような構造である。
【００１３】  本発明を使用する時は、容器１の開口上部の縁２の両端にそれぞれ複数付いている凸部と凸部３ａ，３ｂの間に箸５を渡してのせればよい。両側の凸部３ａ，３ｂによって箸５が保持され、容器１を持ち歩いても箸５が落ちにくくなる。
【００１４】  さらに、容器１の中心線上に、箸５を渡して置いているので、持ち運び時のバランスがよい。
【符号の説明】
【００１５】  １          容器
２          開口上部の縁
３ａ，３ｂ  凸部
４          凹部
５          箸本体
【図１】
2013138766.tif 000003
【図２】
2013138766.tif 000004
【図３】
2013138766.tif 000005
(57)【要約】【課題】  平衡運動具の中でも、バランスボールは応用範囲の広い運動ができることで人気であるが、ボールが大きいことで、家の中で手軽に使用するには難点がある。【解決手段】  台座（４）の底面中央に、接地部が球面となるように設計された脚部（５）を設ける。台座（４）の上面端部に、球面またはそれに類似した面を持つ複数の指圧突起（２）、（３）を設けるが、端部に近い指圧突起ａ（２）の方が指圧突起ｂ（３）よりも大きな形状、つまり端部に近いほど突起が高くなるようにする。台座（４）の上面はクッション材（１）で被覆する。  以上の構造を有することで、バランスボールを使った基本姿勢での運動を、椅子を使って手軽に行うことを可能にした。指圧突起ａ（２）、指圧突起ｂ（３）は、臀部等を適度に指圧し、血行を促進しようとするものである。 【選択図】図１
2013138786.tif 000002
【特許請求の範囲】
【請求項１】
平衡感覚を養いそれに伴う筋力を強化する為の運道具であり、台座の底面に、接地面が球面の脚部を設け、該台座上面には、臀部等を指圧するための球面、またはそれに類似した面を有する突起を複数設けたことを特徴とする平衡運道具。
【発明の詳細な説明】
【技術分野】
【０００１】
本発明は、床、または椅子に置いて使用し、その上に座ることで、平衡感覚と、それに伴う筋力を養うことができる平衡運動具に関するものである。
【背景技術】
【０００２】
平衡感覚を養い、それに伴う筋力強化のために、様々な平衡運動具が販売されている。
【先行技術文献】
【特許文献】
【０００３】
【特許文献１】実登３１１８４９１
【発明の概要】
【発明が解決しようとする課題】
【０００４】
平衡運動具の中でも、バランスボールは応用範囲の広い運動ができることで人気であるが、ボールが大きいことで、家の中で手軽に使用するには難点がある。
【課題を解決するための手段】
【０００５】
以下、本発明の構造を説明する。
（イ）  台座（４）の底面中央に、接地部が球面となるように設計された脚部（５）を設ける。
（ロ）  台座（４）の上面端部に、球面またはそれに類似した面を持つ複数の指圧突起（２）、（３）を設けるが、端部に近い指圧突起ａ（２）の方が指圧突起ｂ（３）よりも大きな形状、つまり端部に近いほど突起が高くなるようにする。
（ハ）  台座（４）の上面はクッション材（１）で被覆する。
【０００６】
以上の構造を有し、特に脚部（５）は体重に十分耐えうる硬質の合成樹脂が望ましい。
本発明の平衡運道具は、従来のバランスボールを使用する全ての運動を可能にするものではなく、座った際の基本姿勢での運動を、椅子を使って手軽に行うことを可能にした。ソファー等の柔らかい座部の椅子には、平面の板を下に敷くことで対応できる。また、床に置いて、バランスボールではできない他の運動をすることが可能であり、自分で工夫することで様々な運動をすることができる。
指圧突起ａ（２）、指圧突起ｂ（３）は、臀部等を適度に指圧し、血行を促進しようとするものである。
【発明の効果】
【０００７】
バランスボールに座った際の基本姿勢での効果には、身体の歪み解消、脂肪燃焼、腰痛軽減などが報告されている。
本発明の平衡運道具は、バランスボールに座った際の基本姿勢での運動を、椅子を使って手軽に行うことを可能にした。ソファー等の柔らかい座部の椅子には、平面の板を下に敷くことで対応できる。また、床に置いて、バランスボールではできない他の運動をすることが可能であり、自分で工夫することで様々な運動をすることができる。
指圧突起ａ（２）、指圧突起ｂ（３）は、台座（４）の上面に接する臀部等を適度に指圧し、血行を促進しようとするものである。したがって、普段のデスクワーク時にも、本発明の平行運動具を椅子の上に置き、その上に腰掛けることで、常に指圧効果とバランスボールに座った際の基本姿勢での運動効果が期待できる。
【図面の簡単な説明】
【０００８】
【図１】本発明の上面図（イ）及び正面図（ロ）である。
【図２】本発明の使用例である。
【発明を実施するための形態】
【０００９】
以下本発明の実施の形態について説明する。
（イ）  台座（４）の底面中央に、接地部が球面となるように設計された脚部（５）を設ける。
（ロ）  台座（４）の上面端部に、球面またはそれに類似した面を持つ複数の指圧突起（２）、（３）を設けるが、端部に近い指圧突起ａ（２）の方が指圧突起ｂ（３）よりも大きな形状、つまり端部に近いほど突起が高くなるようにする。
（ハ）  台座（４）の上面はクッション材（１）で被覆する。
以上の構造を有するが、脚部（５）は体重に十分耐えうる硬質の合成樹脂が望ましい。
台座（４）は自身の体重に十分耐えうる材質を使用し、形状は特に長方形の平面である必要はない。主に臀部を支えることを考慮し、緩やかな曲面であったり、臀部形状に合わせた形状も考えられる。また、台座（４）と脚部（５）、各指圧突起（２）、（３）はその一部もしくは全てが一体成形されていてもよい。
脚部（５）はネジ止め部を設けて台座（４）にネジ止めするか、もしくは一体成形して取り付ける。
指圧突起（２）、（３）はネジ止め部を設けて台座（４）に取り付けるか、もしくは、クッション材（１）の素材がゴム、シリコン素材等の場合では、クッション材（１）と一体成形して台座（４）に接着することも考えられる。
【符号の説明】
【００１０】
１  クッション材
２  指圧突起ａ
３  指圧突起ｂ
４  台座
５  脚部
【図１】
2013138786.tif 000003
【図２】
2013138786.tif 000004
(57)【要約】      （修正有）【課題】点眼補助具の先端に位置する開眼部を点眼する瞼の上下いずれかに押し当てて同時に瞼を上下いずれかにずらすことで瞼が最大に開眼し点眼が容易に且つ簡単、確実にできるこ点眼補助具を提供する。【解決手段】点眼補助具を成形する手段に於いて、朝顔型状の管を垂直方向に切り取った一片の形状の一端の狭い部分に、帯を成形し、点眼補助具の上部先端に位置する開眼部を点眼容器の垂直方向に対し、外側方向に傾斜させる。【選択図】図３
2013138781.tif 000002
【特許請求の範囲】
【請求項１】
点眼補助具(図３)を成形する手段に於いて、朝顔型状の管を垂直方向に切り取った一片の形状の一端の狭い部分に、
点眼容器の点眼部の周囲に係合すべく帯を形成し、該点眼補助具の上部先端に位置する開眼部を点眼容器の垂直方向に対し、
外側方向に傾斜させ、点眼補助具の帯(図４）を点眼容器の周囲に着脱可能な部材を用いて巻き付け係合し(図１）該点眼容器を垂直に保持しながらも
点眼補助具の開眼部（図２）を瞼の上下いずれかに押し当てて、上下いずれかにずらすことで瞼を最大に開眼することが可能で
容易に簡単、且つ確実に点眼することが出来る、着脱可能な点眼補助具。
【発明の詳細な説明】
【技術分野】
【０００１】
本発明は点眼を容易に且つ簡単、確実に点眼できることを目的とした点眼補助具に関するものである。
【背景技術】
【０００２】
点眼時に点眼容器を垂直に保持しながらも点眼補助具の開眼部を瞼の上下いずれかに押し当てて瞼をいずれかにずらす事で瞼が大きく開眼し点眼が容易、かつ簡単
にできる
【０００３】
点眼容器に係合したスカート状の点眼補助具はあるが瞼に押し当てて開眼する動作に於いては不自然な
姿勢になり瞼を最大限に大きく開眼することは出来ない。
【特許文献１】特開2004-24080号公報
【発明の開示】
【発明が解決しようとする課題】
【０００４】
本発明が解決使用とする課題点は開眼して点眼するときに片手に点眼容器を保持し一方の手の指で瞼を
上下方向に開眼する不便な動作が必要であった。また開眼しても確実に点眼できなく点眼液が無駄になることも
あった。
【課題を解決するための手段】
【０００５】
点眼容器の点眼部の周囲に本発明の点眼補助具（図３）を係合すべく帯（図４）を点眼容器の点眼部周囲に着脱可能な部材を
用いて巻き付け、点眼容器を垂直に保持しながらも、点眼補助具の先端に位置する開眼部先端（図２）を瞼の上下いずれかに押し当てて上下いずれかにずらす事で最大に開眼することが出来
容易に且つ簡単に点眼することが出来、また点眼液の無駄を防ぐ事が出来る。
【発明の効果】
【０００６】
本発明の点眼補助具を係合した点眼容器（図１）垂直にを保持しながらも、点眼補助具の開眼部の先端を瞼の上下いずれかに押し当てて上下いずれかにずらす事で大きく開眼することが出来
、容易に且つ簡単に、点眼することが出来、また点眼液の無駄を防ぐ効果がある。
【発明を実施するための最良の形態】
【０００７】
点眼容器（図１）を垂直に保持しながらも、点眼補助具の開眼部の先端を瞼の上下いずれかに押し当てて上下いずれかにずらす事で、最大に開眼することが出来る
形態を、成形するには、朝顔型状の管を垂直方向に切り取った一片の形状の一端の狭い部分に、
点眼容器の点眼部の周囲に係合すべく帯を成形する。
【実施例１】
【０００８】
点眼補助具を係合した点眼容器を垂直に保持しながらも、点眼補助具の開眼部の先端を瞼の上下いずれかに押し当てて上下いずれかにずらす事で大きく開眼することが出来
開眼と同時に点眼の動作をすることで点眼が容易なり且つ簡単に出来る。
【産業上の利用可能性】
【０００９】
本発明は点眼するときに点眼容器を保持し一方の手の指を瞼に押し当て、瞼を指で開眼する動作が必要であった。
この不便さを解消すべく、本発明の点眼補助具を点眼容器の点眼部周囲に着脱可能に係合し、点眼を簡単に出来る、
ようにした、安価で便利な点眼補助具である。
【図面の簡単な説明】
【００１０】
【図１】点眼容器の点眼部に点眼補助具を係合した斜視図である
【図２】点眼容器に係合する補助具の開眼部を示したものである
【図３】点眼容器に係合する補助具を示したものである
【図４】点眼容器に係合する補助具の帯を示したものである
【図５】点眼容器の点眼部に点眼補助具を係合した正面図である
【図１】
2013138781.tif 000003
【図２】
2013138781.tif 000004
【図３】
2013138781.tif 000005
【図４】
2013138781.tif 000006
【図５】
2013138781.tif 000007
【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
点眼補助具(図３)を成形する手段に於いて、朝顔型状の管を垂直方向に切り取った一片の形状の一端の狭い部分に、
点眼容器の点眼部の周囲に係合すべく帯(図４）を形成し、該点眼補助具の上部先端に位置する開眼部を点眼容器の垂直方向に対し、
外側方向（図２）に傾斜させ、点眼補助具の帯(図４）を点眼容器の周囲に着脱可能な部材を用いて巻き付け係合し(図１）該点眼容器を垂直に保持しながらも
点眼補助具の開眼部（図２）を瞼の上下いずれかに押し当てて、上下いずれかにずらすことで瞼を最大に開眼することが可能で
容易に簡単、且つ確実に点眼することが出来ることを特徴とした着脱可能な点眼補助具。
(57)【要約】      （修正有）【課題】外部からの直射光が届かない所望の部位を簡易・簡便に照射し、外部から観察・操作することができる機器・器具を提供する。【解決手段】把持部１と、フレキシブル部２と、光源部３と、機能部４とを合理的に配置・構成した構造の機器・器具とする。フレキシブル部２は、所定の角度内で曲げること・捻ることができ、長さの設定内で、複数方向に曲げること・捻ることができる。機能部４としては、患部の状態を映して目視観察することができるようにする鏡でも良い。【選択図】図１
2013034696.tif 000002
【特許請求の範囲】
【請求項１】
把持部と、フレキシブル部と、光源部と、機能部とからなることを特徴とする陰部照射機器
【請求項２】
機能部が複数併設されている請求項１に記載の陰部照射機器。
【請求項３】
歯科用の陰部照射ライトである請求項１に記載の陰部照射機器。
【発明の詳細な説明】
【技術分野】
【０００１】
本発明は、外部からの直射光が届かない所望の部位を簡易・簡便に照射する陰部照射機器に関する。
【背景技術】
【０００２】
例えば、歯科医師は、歯裏を診察し、治療する場合に、頭に被ったベルトに取り付けた凹面鏡に外部からのライトを照射し、その凹面鏡に反射させた光を歯裏に向け、凹面鏡の中央部に開けた穴を通して歯裏患部を観察し、観察しながら治療をしている。しかし、歯裏には通常の状態・姿勢では光が届かず、椅子を傾けたり、患者の頭・首を傾けさせ、大口を開けさせる、等、患者に少なからぬ苦痛を強いているのが慣用である。
【発明の開示】
【発明が解決しようとする課題】
【０００３】
本発明は、外部からの直射光が届かない部位を簡易・簡便に照射し、外部から観察・操作することができる機器・器具を提供することを課題とする。
【課題を解決するための手段】
【０００４】
上記本発明の課題を解決する手段として、本発明は、把持部と、フレキシブル部と、光源部と、機能部とを合理的に配置・構成した構造の機器・器具とする。
【図面の簡単な説明】
【０００５】
【図１】図１は、本発明の陰部照射機器の構造を示す概念図であり、（イ）は正面図、（ロ）は側面図である。
【発明を実施するための形態】
【０００６】
以下に、添付図面を参照して、本発明を説明する。
図１において、１は把持部、２はフレキシブル部、３は光源部、４は機能部である。
本発明は以下の記載に限定されるものではないが、以下では、歯科医の用いるに好適な口腔内診断・治療用機器を例にして、説明していく。
把持部１は、歯科医が手に持つ部分として想定されている。
図示した本発明の陰部照射機器は、ポータブルタイプとしている。把持部１を片手で把持し、もう一方の手はフリーにしておき、機器を操作することとしている。
操作に両手を用いる必要がある場合には、把持部１の元部を、いずれかの機構に設けられた別途のフレキシブル機構に接続しても良い。
【０００７】
把持部１の先端にフレキシブル部２を接続する。フレキシブル部２は、所定の角度内で曲げること・捻ることができ、長さの設定内で、複数方向に曲げること・捻ることができる。
フレキシブル部２の先に、光源部３を接続する。光源部３には、豆電球や、ＬＥＤとすることができる。光量を調整可能とすることもでき、低発熱性のものとすることも好ましい。
【０００８】
光源部３に機能部４を併設する。機能部４としては、患部の状態を映して目視観察することができるようにする鏡でも良いし、歯科医師の目に接続する工学系ケーブルとすることもできる。
また、画像化機器としても良い。画像化機器とすれば、モニターを利用して観察・診断することもでき、患者・家族や看護師等にも観察させることが可能となる。
【０００９】
機能部４は、単数とすることに限ることなく、複数併設することも可能である。観察機能機器と治療機器とを併設すれば、目視・確認しながら治療することが可能となる。
【符号の説明】
【００１０】
１：把持部
２：フレキシブル部
３：光源部
４：機能部
【図１】
2013034696.tif 000003
(57)【要約】      （修正有）【課題】三相の高効率の高速回転の永久磁石のモータをレアース、インバータなどを使用しないで運転する。【解決手段】フレミングの左手の法則により左回転するロータを三相で高効率・高速回転するよう、永久磁石モータに対して、レアース、インバータは使用しないで、かつ放電しない銅板の交流バッテリから２本の銅線にて同時に電流を流して、モータ内のＮ極１に電流が流れるようにする。ベアリングとしてロータ受けを使用し、白金がコーテングされているレアメタルを使用する【選択図】図１
2013034358.tif 000002
【特許請求の範囲】
特願２０１０−１９４８８３を使用してフレミングの左手の法則、ローターは左回転するプラスの銅線に２本の銅線に同時に放電しない銅板の交流のバッテリーから電線に電流がＮ極のコイルに流れ三相の高効率の高速回転する永久磁石の三相のモーターになる。
ローターの受けはメタルにうすく白金がコーテングしているレアメタルを使用、ベアリングは使用しない
レアース、インバータは使用しない  レアースなど高価な物は使用しない
2013034358.tif 000003
大きな物まで使用できる
電気自動車、飛行機、ジェットカー、戦闘機用ジェットエンジン、高速電車  大型エアコン、など
【発明の詳細な説明】
【技術分野】
【背景技術】
【先行技術文献】
【非特許文献】
【発明が解決しようとする課題】
特願２０１０−１９４８８３を使用してレアース、インバーターを使用しない三相の高効率の高速回転のモーター
【発明の効果】
特願２０１０−１９４８８３を使用したレアース、インバーターを使用しない三相の高効率の永久磁石の高速回転のするモーター
【図面の簡単な説明】
【図１】特願２０１０−１９４８８３を使用したレアース、インバーターを使用しない三相の高効率の永久磁石の高速回転のするモーターの図
【発明を実施するための形熊】
【実放例】
【産業上の利用可熊性】
【符号の説明】
【受託番号】
【図１】
2013034358.tif 000004
(57)【要約】【課題】現在の発電所はそれぞれ問題が多い。１０年後の脱原発を目指し、再生可能な自然エネルギーによる発電で大量の電力を安定して供給することが求められている。【解決手段】それを可能にするのは、海水地下発電所である。再生可能な自然エネルギーとして海水を利用し、地下に発電所を作ることによって、落差を得易く、また、大量の海水を利用でき、その２点によって大量の電力の安定供給が可能となる。【選択図】図１
2013034353.tif 000002
【特許請求の範囲】
【請求項１】
海水を海から直接地下の発電所に取り入れ発電することを特徴とする発電方式。
【請求項２】
請求項１の発電方式で、多数の発電機を設置することにより大電力発電を可能とすることを特徴とする発電所。
【発明の詳細な説明】
【技術分野】
【０００１】  この発明は、再生可能な自然エネルギーを利用した発電所に関する。
【背景技術】
【０００２】  原子力発電（安全神話の崩壊、燃料の最終処分の問題など）火力発電（ＣＯ２による温暖化、燃料の枯渇など）はそれぞれ問題が多い。また、太陽光発電、風力発電は天候に大きく左右され、安定供給が困難である。
【発明が解決しようとする課題】
【０００３】  この発明は、原子力発電所・火力発電所に替わり、安全かつ環境に負荷をかけずに大量の電力を安定供給することを課題とする。
【課題を解決するための手段】
【０００４】  以上の課題を解決するのが、海水地下発電所である。以下がその概要である。
▲１▼海水を利用して水車を回し発電する。海水は国土を取り巻き、無尽蔵にある。発電のための落差を得易く、海水を取り入れ易い地下に発電所を作り、海岸線に沿った取水口から大量の海水を取り入れ水車を回すことによって大量の発電が可能となる。水車を回した後の海水は、排水ポンプによって海へ放出する。（図１参照）
▲２▼地下に作るため環境への影響（塩害、騒音など）が少なく、自然災害の影響も受けにくい。また用地の選定も、平地・山地を問わない。
▲３▼発電出力＝９．８×流量（Ｑ）×落差（Ｈ）
Ｑ＝２６ｍ３／秒、Ｈ＝１２０メートルと設定。
９．８×２６×１２０＝３０，５７６  約３万ｋＷ／時
発電機１基３万ｋＷ／時〜１００基３００万ｋＷ／時まで、小規模から大規模までの発電所建設が可能である。
※中規模モデル（発電機５０基）（図２参照）
１基３万ｋＷ／時×５０基＝１５０万ｋＷ／時
中規模モデルを全国に１００ヶ所建設すると
１５０万ｋＷ／時×１００ヶ所＝１億５千万ｋＷ／時
１億５千万ｋＷ／時×１日２０時間＝３０億ｋＷ／日
３０億ｋＷ／日×３６５日＝約１兆ｋＷ／年
現在の国内の消費電力は年間約９千億ｋＷといわれていて、この中規模モデル１００ヶ所で概ね国内需要に対応できる。
▲４▼排水に要する電力料金は、現在揚水発電所に適用されている深夜料金並みの料金を適用する必要がある。
【発明の効果】
【０００５】  将来の脱原発を目標に、全国１００ヶ所に中規模モデルを建設する。最終的にはこれを主軸とし他の自然エネルギーによる発電との組み合わせによって国内の電力需要を満たす安全で持続可能な電力供給体制を確立する。
この大規模事業（１基２５億×５０基×１００ヶ所＝１２兆５千億と予想）により、雇用を促進し経済を活性化させ、わが国のエネルギー・環境・経済の３つの課題解決に寄与する。
【図面の簡単な説明】
【０００６】
【図１】海水地下発電所の断面図である。
【図２】中規模モデル（発電機５０基）の地下平面図である。
【図１】
2013034353.tif 000003
【図２】
2013034353.tif 000004
(57)【要約】      （修正有）【課題】駆動原となる不安定な回転、トルクに対応出来る発電機の提供。【解決手段】主軸１上に回転する、永久磁石を複数『偶数』個着装したローター５を複数個架装、着装する磁石は、異方性とし磁極方向はＮ極Ｓ極を交互に配置する。上記ローター５各個の間隙に空芯コイル７を複数『偶数』個架装した固定ローター４を、非接触最小限度の隙間を保持して固設する。各空芯コイル７の接続は各単独に端子台に接続し、極数変換、直列、並列接続に対応する。【選択図】図１
2013034356.tif 000002
【特許請求の範囲】
【請求項１】
主軸上に回転する、永久磁石を複数『偶数』個着装したローターを、複数個架装、着装する磁石は、異方性とし磁極方向はＮ極Ｓ極を交互に配置する、
次に上記ローター各個の間隙に空芯コイルを複数『偶数』個架装した固定ローターを、非接触最小限度の隙間を保持して固設する、各空芯コイルの接続は各単独に端子台に接続し、極数変換、直列、並列接続に対応する。
【請求項２】
永久磁石を（偶数）複数個、嵌設した回転子を、回転軸に並設してローターを構成する。これに対する空芯コイルを、回転子両面に配置する、したがって空芯コイルは磁石回転子より１個多く配置する。
この構成により相対する磁石の極方向はすべて反対相に配列する。
この構成を基本とし、回転速度、入力トルク、に対応する、自動変換システムにより制御し、最大の発電効率を発揮する、低速回転高効率発電機。
［発明の効果］
本発明の発電装置は、あらゆる駆動原にも適応するが、特に風力、水力等の不安定な、回転数、発生トルクの変動が多い動力原に対し、駆動機器に敏感に対応出来る機能を有し、現在対応出来ない部分を克服し高効率な発電が達成する。
特に風力においては弱風時の起動が困難で何故ならば現在使用されている発電機の全てが毎分１５００から３０００回転が必要な為に１００倍程度の増速装置が必要で、其の為に初動が難しく効率の悪さと装置のコストが高い、この発明の発電装置を採用する事により、より効率の良い発電が可能となる。
【発明の詳細な説明】
【課題】
従来の発電機は、駆動原となる不安定な回転、トルクに対応出来る機種が存在しなかった。
【解決手段】
この発明の、自動制御発電機は、従来の発電機の機能とは、全く異なる機能を開発し、不安定な動力原に完全に対応出来る、自動制御発電機が完成した。
この発電装置の採用により、現在利用が不安定な、風力、水力、その他不安定な動力原が、この発電装置の採用により、効率が飛躍的に向上し、自然エネルギーの利用に貢献出来るものと確信する。
【図面の簡単な説明】
【図１】この発電機の総体図である。
【図２】永久磁石を嵌設した円盤を３連組み込まれた、回転ローターである。
【図３】図１の総体図を、個別に分離した斜視図である。
【符号の説明】１  永久磁石を嵌設した円盤を、３連並設固定された、ローターの主軸
２  回転ロ−タ−を支持するベヤリング
３  内向面に空芯コイルを嵌設した本体側面カバー
４  内側円周面に空芯コイルを嵌設した円形支持板、ベークライト製、これは１０の本体外カバーに固定される。
５  内側円周面に永久磁石が嵌設された、アルミ板支持体、主軸に複数個並列に固定され回転ローターとなる
６  ５のアルミ板支持体に嵌設された、永久磁石（偶数、複数個）
７  各固定円盤体に、嵌設された空芯コイル（偶数、複数個）
８  各円盤体の隙間を保持するスペーサー、アルミ製
９  各部品を組み合わせ一体化する緊結用ボルト、ＳＵＳ製
１０  本体を構成する外カバー
１１  各空芯コイルより引き出されたコイル線、端子台に組み込み、自動変換装置に対応。
【図１】
2013034356.tif 000003
【図２】
2013034356.tif 000004
【図３】
2013034356.tif 000005
(57)【要約】      （修正有）【課題】踵と軽石が触れる部分の面積を大きくし、角質除去の処理時間を縮小する軽石を提供する。【解決手段】固形状の軽石の端面所定箇所にＵ字型に深く削られた部分を設け、踵と軽石が触れる面積を大きくとり、フットケアの時間短縮及び踵を数回に分けて部分的にケアすることを解消した。【選択図】図１
2013034815.tif 000002
【特許請求の範囲】
【請求項１】
固形状の軽石の端面所定箇所にＵ字型に深く削られた部分を設ける。踵と軽石が触れる面積を大きくとり、角質除去のための処理時間を縮小するための軽石であり踵と軽石との接触面積を大きくすることを可能としたことを特徴。
【発明の詳細な説明】
【技術分野】
【０００１】本発明は、フットケア用の軽石に関するものである。
【背景技術】
【０００２】従来のフットケア用軽石は普通の石鹸に類似した角を鋭角になさない長方形で特殊な形状をなさない。
【先行技術文献】
【特許文献】
【０００３】
【特許文献１】特開２０００−３３３８７４
【非特許文献】
【０００４】
【発明の概要】
【発明が解決しようとする課題】
【０００５】しかしながら従来の技術では、軽石の表面で必要な部分を擦るだけの形になり、角質除去の処理に時間がかかる。
【課題を解決するための手段】
【０００６】第一発明は、フットケア用軽石の表面を深くＵ字型に削り、踵と軽石が触れる部分の面積を大きくする。
【発明の効果】
【０００７】第一発明により、踵と軽石が触れる面積が大きくなり、必要な部分を何度も擦らなくても短時間で角質除去の処理が行えるようになった。
【図面の簡単な説明】
【０００８】
【図１】軽石の全体図である。
【発明を実施するための形態】
【０００９】以下、本発明を図面に基づいて説明する。
【実施例】
【００１０】図１はフットケア軽石の全体像を示している。
Ａが本発明である軽石の表面をＵ字型に削った部分である。軽石の材質は特に限定はないが発泡ガラスが好ましい。
【符号の説明】
【００１１】
【図１】
2013034815.tif 000003
(57)【要約】【課題】洗濯物の落ちにくい汚れの代表として挙げられるのが泥汚れである。水や洗剤に浸してから手洗いしても落としきれない汚れは洗濯用ブラシを用いる。しかし、ブラシを用いても細かい汚れが繊維の奥に入り込み、汚れの跡や黄ばみが残りがちであった。【解決手段】プラスチック板に、柔軟性、弾力性に富んだ円錐状の突起が表面一面に互い違いの列になって施されている本発明は、泥汚れした生地の下に当てる。ブラシと本発明の突起に生地が挟まれた格好となり、生地の一点一点が突起と接触するため、表面だけでなく裏側からも、たたき洗い効果が得られる。突起は柔軟、弾力性に富んでいるため、ブラシでこするたびに細かく揺れて、もみ洗い効果やつまみ洗い効果も得られる。板の大きさを変えることにより広範囲を効率的に洗うことができる。靴下洗いや部分洗いには形状を小さくする。汚れ落ちが早いため、労力時間の短縮にもつながり、生地を傷めにくい。【選択図】図１
2013034819.tif 000002
【特許請求の範囲】
【請求項１】
プラスチック板の表面に、柔軟性かつ弾力性のある円錐形突起を設けたことを特徴とする洗濯補助道具
【請求項２】
前記突起は柔軟、弾力性に富み、プラスチック板表面全体に、互い違いの列に施された円錐形の突起であることを特徴とする請求項１記載の洗濯補助道具。
【発明の詳細な説明】
【技術分野】
【０００１】  この発明は、衣服の泥汚れを落とす洗濯ブラシの補助道具に関する。
【背景技術】
【０００２】  従来の泥汚れ落としに関して、洗濯機に入れる前にブラシでこすり落とすという方法がある。
【発明の概要】
【発明が解決しようとする課題】
【０００３】  しかしながら、以上の技術によれば、繊維の奥まで入り込んだ泥が取りきれないことが多く、本来の白い生地に泥汚れの跡や黄ばみが残ってしまっていた。
そこで、この発明はブラシでの汚れ落とし効果を格段に高める洗濯補助道具を提供することを課題とする。
【課題を解決するための手段】
【０００４】  以上の課題を解決するために、第一発明は、柔軟かつ弾力性を持つ円錐状突起を互い違いの列で表面に施したプラスチック板を、使用する生地の下に置き、汚れ落とし効果を高める事を特徴とした洗濯道具である。
第二発明は、使用する衣服の形状に合わせたものである。
【発明の効果】
【０００５】  第一、第二発明によれば、柔軟かつ弾力性を持つ円錐状突起を表面に施したプラスチック板を、生地の下に当ててからブラシを使用する事により、生地の裏側から汚れを、たたき、もみ、つまんで落とす効果が得られる。
【図面の簡単な説明】
【図１】この発明の一実施形態を示す斜視図である。
【発明を実施するための形態】
【０００６】  この発明の一実施形態を図１に示す。
この洗濯お助け板本体は、プラスチック製であり、プラスチックの板の表面に、柔軟かつ弾力性に富んだ円錐形突起が一面に設けられている。
【０００７】「実施形態の効果」
この実施形態によれば、プラスチック製の板の表面に柔軟性、弾力性に富んだ円錐型の突起を互い違いの列で一面に施し、生地の下に当ててブラシを使用する事により、従来のブラシのみで表面から落とす効果に比べ、突起とブラシの間に生地が挟まる格好になる。従って、両側から汚れをたたき、もみ、つまんで落とす効果が得られ、汚れ落ち効果が格段に向上する。
「他の実施形態」
図１の実施形態では、プラスチック製の板の片面に円錐状突起を施し、野球用ユニフォームのズボンなど、広範囲の泥汚れを効率よく洗える大きさにしてある。
他の形態では、図１の形を変え、使用する衣服の形に合わせた、異なる形状でもよい。
【符号の説明】
【０００８】１  プラスチック製の板    ２  表面に柔軟性、弾力性のある円錐形突起
３  互い違いの列
【図１】
2013034819.tif 000003
(57)【要約】【課題】  本発明は、生活の中でやっかいなホコリを柔らかい鳥毛によりやさしく払いながら電気掃除機で吸い取り除去できることにより、いままでに扱えなかったホコリ取りの掃除が容易に、きれいに広範囲にわたって能率的にでき目的達成を図るためのハタキ掃除器具を提供する。【解決手段】  本発明は、ホコリ    吸い取り具にホコリ払い用の鳥毛を設け、電気掃除機のノズルに差し込む筒にホコリ吸い取り具を装着して、ホコリを鳥毛で払いながら電気掃除機で吸い取り除去できるように工夫したことを特徴とする。【選択図】図１
2013034817.tif 000002
【特許請求の範囲】
【請求項１】
ホコリ吸い取り具に、ホコリ払い用の鳥毛を設け、電気掃除機のノズルに差し込む筒にホコリ吸い取り具を装着して、ホコリを鳥毛で払いながら電気掃除機により吸い取り除去できるように工夫したことを特徴とするハタキ掃除器具。
【発明の詳細な説明】
【技術分野】
【０００１】  本発明は、ホコリ吸い取り具にホコリ払い用の鳥毛を設け、電気掃除機のノズルに差し込む筒にホコリ吸い取り具を装着して、従来の電気掃除機などでは対応が難しい場所、物品などのホコリを鳥毛で払いながら電気掃除機により吸い取り、傷を付けることなく容易にきれいに能率的な掃除ができるようにしたハタキ掃除器具に関するものである。
【背景技術】
【０００２】  従来のハタキは、単にその場のホコリを払い拡散するのみで真にホコリの除去ができないのが現実であった。
また、電気掃除機などは対象物に対して、こすりながらゴミ、ホコリを吸い取ることに機能を主としているため、対象が限られて対応が難しい場所、物品に対してのホコリ取り掃除が容易に、きれいに、能率的にできないなどの問題があった。
【発明の開示】
【発明が解決しようとする課題】
【０００３】  これは、次のような欠点があった。
（イ）日常生活の中でホコリほどやっかいで気にかかり苦慮するものでありながら家庭で    手軽に扱えるホコリ取りの掃除機具がないなどの問題があった。
（ロ）ホコリはどこにでも溜まり、散らし、生活環境に悪影響をおよぼす問題があった。
（ハ）従来のハタキは、その場のホコリを払い拡散させるのみで実際には除去されない欠    点があった。
（ニ）従来の電気掃除機などは、こすりながらゴミやホコリを吸い取ることを基本での機    能を主としているため、掃除の対象が限られて、柔らかいもの、弱いもの、こわれ易    いもの、固定されていないもの、繊細な機械器具などの場所、物品に対応できない不    便と欠点があった。
（ホ）家庭、職場、商店、工場など、多岐にわたりホコリ取りの掃除機が必要でありなが    ら現状では環境にやさしい機具がなかった。
（ヘ）ホコリはハタキで払い、他の掃除は電気掃除機やモップで掃除をする、という考え    が日常の習慣となっていることに問題があった。
本発明は、以上の欠点を解決するためのものである。
【課題を解決するための手段】
【０００４】  上記問題を解決するため、本発明はホコリ吸い取り具にホコリ払い用の鳥毛を設け、電気掃除機のノズルに差し込む筒にホコリ取り具を装着するハタキ掃除器具である。
本発明は、以上の構成よりなっている。
【発明の効果】
【０００５】  本発明は、日常生活の中でやっかいなホコリを柔らかい鳥毛によりやさしく払いながら電気掃除機で吸い取ることができる。
いままでに扱えなかったホコリ取りの掃除が容易にきれいに、しかも広範囲にわたって能率的に目的を達成することができる。
とくに電気掃除機などでは対応が難しい柔らかいもの、弱いもの、こわれ易いもの、固定されていないもの、繊細な機械器具などの場所、物品に対して傷をつけずに易意にホコリ取り掃除ができる。
また、商店の店頭に陳列された商品などや、工芸品作成、および、設計現場の細かなくず、ホコリ取り除去にも大変役立ち快適な生活環境の向上に欠かせない効果がある。
他に、災害による被災者の避難生活での生括環境を良くするためにも大変役立ち、いろいろな面で活用できるものである。
【図面の簡単な説明】
【０００６】
【図１】  本発明の斜視図である。
【図２】  本発明のホコリ吸い取り具の側面図である。
【図３】  本発明の鳥毛の側面図である。
【図４】  本発明の使用状態を示した断面図である。
【発明を実施するための形態】
【０００７】  以下、本発明の実施の形態を図面で説明すると。
（イ）ホコリ吸い取り具（１）に、鳥毛（２）を設ける。
電気掃除機のノズルに差し込む筒（３）に、ホコリ吸い取り具（１）を装着する。
（ロ）ホコリ吸い取り具（１）は、ホコリ吸い取り口（４）と鳥毛を差し込む筒（５）か    らなっている。
（ハ）鳥毛（２）は、ホコリ吸い取り具の筒（５）に固定できるように差し込み具（６）    を設ける。
本発明は、以上の構成によりなっている。
本発明を使用するときは、電気掃除機のノズルにハタキ掃除器具を差し込み、柔らかい鳥毛によりホコリを払いながらホコリを吸い取り、いままでになかった日常生活でのホコリ取り掃除が容易にきれいに能率的にできて生活環境を良好に推進することができる。
【符号の説明】
【０００８】      １  ホコリ吸い取り具
２  鳥毛
３  電気掃除機のノズルに差し込む筒
４  ホコリ吸い取り口
５  鳥毛を差し込む筒
６  鳥毛を固定する差し込み具
【図１】
2013034817.tif 000003
【図２】
2013034817.tif 000004
【図３】
2013034817.tif 000005
【図４】
2013034817.tif 000006
(57)【要約】【課題】  遺体安置布団の機能を抗菌、脱臭、保冷機能を一体化する事により、腐敗に伴う異臭防止と遺体の損傷防止となり良好な状態を長時間保つことが可能な抗菌、脱臭、保冷機能を備えた遺体保存安置布団を得る。【解決手段】  遺体の胴体部に保冷剤を収納する断熱部材からなる保冷袋を設け、遺体と接する遺体の首下全体を覆う防腐布を設け、この防腐布に炭化珪素又は酸化珪素５０乃至７０％重量、酸化アルミニュウム１５乃至２５％重量、酸化チタン５乃至１０％重量の割合で焼成されてなる超微粒状抗菌セラミックス粉体を含着させたものである。【選択図】図２
2013034818.tif 000002
【特許請求の範囲】
【請求項１】
遺体保存安置布団であって、遺体の胸部及び腹部に当たる部位に保冷剤を収納する断熱部材からなる保冷袋を設け、この保冷袋を含め遺体と接する遺体の首下全体を覆う防腐布からなり、この防腐布は紙繊布に炭化珪素又は酸化珪素５０乃至７０％重量、酸化アルミニュウム１５乃至２５％重量、酸化チタン５乃至１０％重量の割合で焼成されてなる超微粒状抗菌セラミックス粉体を含着させた遺体保存安置布団。
【発明の詳細な説明】
【技術分野】
【０００１】  この発明は遺体の良好な保存を長時間持続させるために、保冷機能を持ち、抗菌、脱臭効果によって、遺体の保存効果を高める、遺体安置布団に関するものである。
【背景技術】
【０００２】  今日までの遺体安置は専用の掛布団、敷布団に安置しドライアイス、又は保冷剤を遺体の両横に設置している。
【先行技術文献】
【特許文献】
【０００３】
【特許文献１】  特開２００５−１２６４０４号公報
【発明の概要】
【発明が解決しようとする課題】
【０００４】  上記のような従来の遺体安置方法は、異臭発生と雑菌発生に伴う遺体の腐敗の進行防止が困難であり、また経済的負担も大きく、精神的、実務的労働負担となっている。また特殊薬剤を白い小袖の死に装束などに含浸または包含、あるいはコーティングするための準備をする必要があり、般用的に入手が困難である。【０００５】  この発明は上述のような問題を解決するためになされたもので、遺体安置布団に遺体の長時間保冷機能と抗菌、脱臭効果を兼ね備え一体化した遺体保存安置布団を得ることを目的とする。
【課題を解決するための手段】
【０００６】  この発明の遺体保存安置布団は、遺体の胴体部に保冷剤を収納する断熱材からなる保冷袋を設け、遺体と接する遺体の首下全体を覆う防腐布を設け、この防腐布は炭化珪素又は、炭化珪素５０乃至７０％重量、酸化アルミニュウム１５乃至２５％重量、酸化チタン５乃至１０％重量の割合で焼成されてなる超微粒状抗菌セラミックス粉体を含着させたものである。
【発明の効果】
【０００７】  この発明の抗菌、脱臭、保冷機能を備えた遺体保存安置布団は、遺体を安置する布団本体であることは勿論であり、遺体安置布団本体に断熱材で袋状にした機能を設けたことによって、専用の保冷剤の保冷効果時間が長時間保つことが可能となり、しかも遠赤外線とマイナスイオンが発生する特殊セラミックスを定着させた紙繊布を遺体に接触する面にすることによって、抗菌効果と脱臭効果と保冷効果のトリプル効果により、遺体を長時間安置しても腐敗の進行防止と異臭防止を可能としたものである。
【図面の簡単な説明】
【０００８】
【図１】  この発明の実施形態１を示す遺体保存安置布団の裏面図である。
【図２】  この発明の実施形態１を示す遺体保存安置布団の記号Ａ−Ａに沿う一部切欠断面図である。
【発明を実施するための形態】
【実施例１】
【０００９】  図１は、この発明の一実施の形態を示す抗菌、脱臭、保冷機能を備えた遺体保存安置布団の裏面図である。図２は、図１に示す遺体保存安置布団の一部切欠断面図である。図において、１は布団本体であり、表面はテトロンの布生地である。２は万一水滴が発生した場合に、遺体の濡れ防止と布団本体１の布団表面の布生地が濡れないようにするための紙繊布である。３は発泡ポリエチレンとアルミ蒸着フィルムの断熱素材で形成した保冷袋である。４は保冷袋３によって作られた、保冷剤を長時間に渡って冷めたい状態で保管する保冷袋３の内部である。５は紙繊布２に特殊セラミックスを含着させた防腐布であり、特殊セラミックスからの遠赤外線とマイナスイオンの作用がある、防腐布５は布団本体１の表面布生地の一部として縫製されている。６は断熱材で形成した保冷袋３が布団本体１から離脱しないための縫付である。７は保冷剤の出し入れを容易にすると共に保冷剤が保冷袋３から安易に出ないためのファスナーである。８は布団本体１の中綿である。保冷袋３の防腐布５側は遺体に冷気を伝え易くするために、弱断熱素材とする。【００１０】  このように構成された抗菌、脱臭、保冷機能を備えた遺体保存安置布団においては、布団本体１を遺体安置専用布団として使用することは勿論ではあるが、遺体保存安置布団の中に一体化した断熱部材で作られた保冷袋３によって、保冷剤の冷気を長時間逃がす事無く保存され、紙繊布２によって水滴が発生した場合は吸収し、防腐布５に特殊セラミックスを定着させた防腐布５によって、セラミックスが発する遠赤外線とマイナスイオンの作用により遺体が濡れる状態を防ぐことも出来ると同時に、最大の目的は抗菌効果と脱臭効果と保冷袋３によって形成された、保冷剤収納内部４に保冷剤を挿入し、保冷袋３の弱断熱素材からの冷気伝導により、遺体の長時間保冷効果が保たれる三つの機能の働きにより、遺体より発生する異臭防止と腐敗の抑制をすることが可能となり、衛生管理上遺体を、良好な状態で安置することが出来る。またこの発明の布団は遺体の上部だけでなく、下部にも用いて両面からの使用が可能である。【００１１】  上述の特殊セラミックスは、炭化珪素又は酸化珪素５０乃至７０％重量、酸化アルミニュウム１５乃至２５％重量、酸化チタン５乃至１０％重量の割合で焼成されてなる超微粒状抗菌セラミックス粉体を含着させたものである
【符号の説明】
【００１２】  １  布団本体
２  紙繊布
３  保冷袋
４  保冷剤収納部
５  防腐布
６  縫付
７  ファスナー
８  中綿
【図１】
2013034818.tif 000003
【図２】
2013034818.tif 000004
(57)【要約】      （修正有）【課題】入浴に際し身体全体の洗浄を行い易くするようにし、肌にやさしく身体の洗浄が行えるよう、又使用后においても揮水性もよく保管も容易な入浴用タオルを提供する。【解決手段】弱弾性素材から成る洗浄体２を繊布１の内部に一体とし設け身体の各部形状に合せて、洗浄を行えるように断面形状が凹凸部を構成するようにし身体のいかなる状況にも洗浄効果を発揮するようにし、繊布１本体のタオルの両至端部に指把用通穴３及び指把用凸部を設けた。【選択図】図２
2013034822.tif 000002
【特許請求の範囲】
【請求項１】
入浴用タオルであって長手方向の中央部より、折込み、繊布の内部に洗浄体を介在させ、繊布周辺部を縫合させ、又は接合し一体としたことを特徴とする入浴用タオルの製造方法。
【請求項２】
板状体の繊布の内部に設けた洗浄体及び平板状の繊布の表面又は裏面の適所に一体とするように設けた洗浄体と繊布との間に段差を設けたて方向の断面形状が凹凸部を構成するように洗浄体を設けたことを特徴とする入浴用タオルの製造方法。
【請求項３】
繊布本体のタオルの両至端部に指把用通穴及び指把用凸部を設けたことを特徴とする入浴用タオル。
【発明の詳細な説明】
【技術の分野】
【０００１】従来からタオル用布地は綿繊維及び化繊素材などによって製造されていた。
【背景の技術】
【０００２】従来のタオルは綿布及び化繊からなる平板状のものである。
【発明の概要】
【発明が解決しようとする課題】
【０００３】本発明は入浴に際し身体の洗浄を行う、タオルに係る発明で身体の洗浄に際し後背部及び入浴者自身の手の届きにくい部分においても容易に洗浄出来るよう、タオルの適所に凹凸部を形成し身体の洗浄を行い易くした入浴用タオルに係るものである。
【課題を解決するための手段】
【０００４】平板状繊布に一体にした洗浄体を設け、たて方向の断面形状が凹凸部を形成するように配置し平板状の繊布と洗浄体の上部とが段差を構成することにより身体全体を容易に洗浄できるようにした入浴用タオル
【発明の効果】
【０００５】本発明は入浴に際し身体全体の洗浄を行い易くするよう繊布の内部及び繊布の上、下面に化繊素材及び発泡性素材により形成した弱弾性素材から成る洗浄体を設け一体とし、肌にやさしく身体の洗浄が行えるよう、又使用后においても揮水性もよく保管も容易である。
【発明を実施するための形態】
【０００６】板状の繊布に一体とした各図２の洗浄体の断面形状が凹凸形状に構成し１の繊布の中央部又はやや、至端部に近い位置に結合して入浴時の身体の洗浄を容易に行えるようにしてある。
【実施例】
【０００７】以下添付図に従って一実施例を説明する。〔図１〕に示す繊布１の長手方向Ａ−Ａの折込み部を中心として矢印Ｂの如くに重ね合せ、〔図２〕に示すは１の繊布２の洗浄体。４は縫合せ部で３は指把用通穴を示すものである。
〔図３〕乃至〔図７〕に示すは平面図で１の繊布に設けた２の洗浄体を示し、又各図３は指把用通穴で４は縫合せ部を示す、５は指把用凹凸部である。【０００８】尚〔図３〕のＡ−Ａ１断面図のＨ１、及び〔図４〕のＢ−Ｂ１断面図のＨ２〔図５〕のＣ−Ｃ１断面図Ｈ３〔図６〕のＤ−Ｄ１断面図のＨ４に示すは各図１の繊布と２の洗浄体との段差を示すものである。本発明はこの各図Ｈ１からＨ４に示す洗浄体の段差部を設けることにより  より身体の洗浄効果を得ることができる
【図面の簡単な説明】
【０００９】
【図１】斜視図
【図２】斜視図
【図３】平面図
【図４】平面図
【図５】平面図
【図６】平面図
【図７】平面図
【符合の説明】
【００１０】１    繊布
２    洗浄体
３    指把用通穴
４    縫合せ部
５    指把用凸部
矢印  Ａ    中央折込部
矢印  Ｂ    折込方向
矢印  Ｈ１  Ｈ２  Ｈ３  Ｈ４  板状体繊布と洗浄体の段差を示す。
【図１】
2013034822.tif 000003
【図２】
2013034822.tif 000004
【図３】
2013034822.tif 000005
【図４】
2013034822.tif 000006
【図５】
2013034822.tif 000007
【図６】
2013034822.tif 000008
【図７】
2013034822.tif 000009
(57)【要約】【課題】  水切り遊び用の人造石を提供する。【解決手段】  陶芸用の粘土で円盤状に作製し、室内の日陰で自然乾燥して完成する。水切り遊びをして、投げた後、水にふれると序々に水がしみこみ、少しずつ土に戻る。乾燥させるだけで焼かずに使う為、形が残らず、土に戻るので危険がなく、自然を害しない水切り遊び用人造石である。使用後、投げた後自然に戻るのが特徴【選択図】図１
2013034821.tif 000002
【特許請求の範囲】
【請求項１】
陶芸用の粘土で作製した水切り遊び用人造石。陶土を自然乾燥し焼かずに水につけたら、ばらばらと土に戻るという性質を利用して、水切り人工石として陶土を円盤状につくり、乾燥させ、焼かずに仕上げる。
水に投げ込むと、はねていき途中少しずつはがれてゆくが、最後に水にしずむとしばらくして、順次土に戻る事を特徴とする水切り遊び用人造石。
【発明の詳細な説明】
【発明の詳細な説明】
【技術分野】
【０００１】  この発明は水切り遊び用の石に関するものである。
【従来の技術及び問題点】
【０００２】  （１）自然石は海岸の埋立て、河川の堤防のかさ上げ、防波堤等による自然の渚の消滅により水切り自然石のある所も非常に少なくなった。形の良い物、比重の良い物、大きさの手頃な物を見つけるのが困難になってきた。
（２）陶器や素焼の人工石は投げた後、踏むと割れて危険であり、割れた残骸は無くならないので長い間厄介物になる。
【発明が解決しようとする課題】
【０００３】  この発明の課題は前記従来例の問題点を解消した水切り遊び用人造石を提供することにある。
【課題を解決するための手段】
【０００４】  前記の課題を解決するために、この発明は次の手段を採用する。陶芸用の粘土で作製し、室内の日陰で自然乾燥して出来上る。水切り遊びをして投げた後しばらくして水がしみこみ、順次土に戻る。乾燥させるだけで焼かずに使う
▲１▼自然石より入手が容易である。▲２▼陶器や素焼の人工石は投げた後、踏んで割れたり、何かの衝撃で小さく欠けても海水浴等水遊びの際割れたりした小さな破片でけがをするおそれがあるが、この水切り遊び用人造石は、投げた後、形が残らず土に戻るので危険がなく自然を害しない。
【発明を実施するための形態】
【０００５】  塩化ビニールの水道管内径５．５ｃｍを１ｃｍに輪切りにしたものを型として平らな机の上に置き、薄手のポリエチレン（又はそれに類したもの）２０ｃｍ四方をかぶせその上に陶芸用の土をのせ、平らによく押し込んで、陶土に水がしみ込みにくく、又強度を保つため、空気を抜きながら圧縮し、直径約５．５ｃｍ、高さ１ｃｍの形につめ終れば、ポリエチレン（又はそれに類したもの）を持って、水道管から抜きはずし、その後形をととのえて、指でなぜて、なるべく全面をなめらかに仕上げます。型は大きさ、及び他の材質・他の形等を採用する事を妨げない。
【作用及び効果】
【０００６】  本発明の水切り遊び用人造石は円盤にしているので、投げた時の回転や惰性を持続させ、水の抵抗を少なくする。水につけた場合、１０分で直径３ｃｍ厚み５ｍｍ位にちぢまり、１５分で完全に土に戻った。実際水切り遊びをした場合は水とのすれ合いで少しずつ小さくなると想像される。陶土を型に強く押し込み、空気を抜きながら、圧縮して作製しているので、水がしみ込みにくく、強度を保つ。はねている時間は短かいので充分その要を満たすものである。
【図面の簡単な説明】
【図１】  この発明の斜視図である
【図２】  この発明の正面図である
【図３】  この発明の真上からの図である
【図１】
2013034821.tif 000003
【図２】
2013034821.tif 000004
【図３】
2013034821.tif 000005